(57)【要約】【課題】バルーンを内視鏡の挿入部に取り付ける作業負担を軽減できる取付治具付きバルーンの包装体及びバルーン取付方法を提供することを目的とする。【解決手段】バルーン６０は、第１筒部６０Ａと、第２筒部６０Ｂと、バルーン本体６０Ｃと、を有する。バルーン取付治具１００は、中空筒状で平坦状に折りたたみ可能に形成され、第１開口部１０４及び第２開口部１０６を有する本体部１０２と、第２開口部１０６に設けられ、互いに対向する一対のガイド片１０８ａ、１０８ｂと、を有する。バルーン取付治具１００と、バルーン６０と、が収納容器３００に収納された取付治具付きバルーンの包装体であり、収納容器３００の内部において、バルーン６０は、折り返されたバルーン本体６０Ｃの内側に第２筒部６０Ｂが配置され、一対のガイド片１０８ａ、１０８ｂは、第１筒部６０Ａ及び第２筒部６０Ｂの内側に配置されている。【選択図】図９
2020163114.tif 000002
【特許請求の範囲】
【請求項１】
内視鏡挿入部にバルーンを装着するためのバルーン取付治具と、前記バルーンと、が収納容器に収納される、取付治具付きバルーンの包装体であって、
前記バルーンは、
前記バルーンの一端に設けられる第１筒部と、
前記バルーンの他端に設けられる第２筒部と、
前記第１筒部と前記第２筒部との間に設けられるバルーン本体と、
を有し、
前記バルーン取付治具は、
中空筒状で平坦状に折りたたみ可能に形成され、一端に第１開口部を有し他端に第２開口部を有する本体部と、
前記第２開口部から前記第１開口部が設けられる側とは反対側に向かって延在して設けられ、互いに対向する一対のガイド片と、
を有し、
前記収納容器の内部において、
前記バルーンは、前記バルーン本体が内側に折り返され、前記バルーンの折り返し部分に形成された折り返し開口部の内側に、前記第２筒部が配置され、且つ、
前記バルーン取付治具は、前記折り返し開口部から、前記一対のガイド片と、少なくとも前記本体部の一部とが挿入され、前記一対のガイド片は、前記第１筒部及び前記第２筒部の内側に配置されている、
取付治具付きバルーンの包装体。
【請求項２】
前記ガイド片は、前記第１開口部が設けられる側とは反対の先端側に設けられた先端部を有し、前記先端部は先端側に向かって、前記ガイド片の幅が狭まるように直線状で前記ガイド片の長手方向に対して斜めに形成された傾斜部を有し、
前記一対のガイド片の各々の前記傾斜部の位置が、前記本体部の中心軸に対して対称の位置に設けられる、
請求項１に記載の取付治具付きバルーンの包装体。
【請求項３】
前記一対のガイド片は、前記内視鏡挿入部を挿入した際に、前記内視鏡挿入部と５５％以上７０％以下の接触面積をもつ接触面を有する、
請求項１又２に記載の取付治具付きバルーンの包装体。
【請求項４】
前記本体部及び前記一対のガイド片の材料は、画用紙、ケント紙、フッ素樹脂、シリコン樹脂、ポリプロピレン樹脂、又は、ポリカーボネート樹脂である、
請求項１から３のいずれか１項に記載の取付治具付きバルーンの包装体。
【請求項５】
前記収納容器は、有底の筒状の胴部と、前記胴部の底部に設けられ且つ前記胴部の内径より小さい内径を有する小溝部と、前記底部の反対側に設けられた容器開口部と、を有し、
前記胴部は前記バルーン本体及び前記第２筒部を収納し、
前記小溝部は前記第１筒部を収納する、
請求項１から４のいずれか１項に記載の取付治具付きバルーンの包装体。
【請求項６】
前記胴部は、前記底部から前記容器開口部に向かって内径が広がるテーパ形状で構成されている、
請求項５に記載の取付治具付きバルーンの包装体。
【請求項７】
前記胴部の軸方向に垂直な方向に切断した前記小溝部の断面形状が、楕円形であり、
前記楕円形の短軸方向に沿って、前記一対のガイド片が配置される、
請求項５又は６に記載の取付治具付きバルーンの包装体。
【請求項８】
前記胴部の内径は、前記バルーン本体の自然状態の外径の１０２％以上１１０％以下である、
請求項５から７のいずれか１項に記載の取付治具付きバルーンの包装体。
【請求項９】
前記バルーン取付治具は、前記本体部の前記第１開口部から延在して設けられ且つ平坦状に折りたたまれた前記本体部より幅の広い翼部を有し、
前記胴部は、前記バルーン取付治具の挿入方向に垂直な方向で凹形状に形成された、前記翼部を収納する凹部を有し、
前記凹部は、前記収納容器に収納された前記バルーン取付治具の、前記バルーン取付治具の挿入方向に垂直な方向の位置を決定する位置決め面と、前記バルーン取付治具の挿入方向の中心軸に対する回転方向を規制する第１規制面と、を有する、
請求項５から８のいずれか１項に記載の取付治具付きバルーンの包装体。
【請求項１０】
前記胴部は、前記容器開口部側に設けられた胴部本体と、前記小溝部側に設けられ、前記胴部本体より幅の狭い中溝部と、前記胴部本体と前記中溝部との間に設けられた段差部と、を有し、
前記段差部は、前記収納容器に収納された前記バルーン取付治具の挿入方向の位置を規制する第２規制面を有する、
請求項５から９のいずれか１項に記載の取付治具付きバルーンの包装体。
【請求項１１】
前記バルーン取付治具は、前記本体部の前記ガイド片側に、被規制部を有し、
前記被規制部と前記第２規制面とが接触することで、前記バルーン取付治具の挿入方向の位置を規制する、
請求項１０に記載の取付治具付きバルーンの包装体。
【請求項１２】
前記本体部は、幅方向の側部に折りたたみ可能な折り曲げ部を有し、
前記内視鏡挿入部の挿入方向に力を加えた場合、前記本体部の座屈強度は、前記ガイド片の座屈強度より大きい、
請求項１０又は１１に記載の取付治具付きバルーンの包装体。
【請求項１３】
前記バルーンが前記内視鏡挿入部に取り付けられた状態における、前記第１筒部の端部から前記第２筒部の端部までの長さをバルーン取付長さとした場合、
前記容器開口部は、鍔部を有し、
前記鍔部の長さが、前記バルーン取付長さと等しい、
請求項５から１２のいずれか１項に記載の取付治具付きバルーンの包装体。
【請求項１４】
前記鍔部に貼付された蓋部を有し、
前記鍔部は、前記バルーン取付治具の挿入方向に垂直な方向に、前記容器開口部から広がって設けられた、外周部と内周部とにより構成され、
前記内周部は、前記外周部より内側で、前記外周部より底部側に形成されており、
前記蓋部は前記外周部に貼付される、
請求項１３に記載の取付治具付きバルーンの包装体。
【請求項１５】
請求項１から１４のいずれか１項に記載の取付治具付きバルーンの包装体を用いたバルーン取付方法であって、
前記内視鏡挿入部を、前記第１開口部から前記本体部に挿入し、
前記内視鏡挿入部を、前記一対のガイド片の間に挿入し、前記一対のガイド片を介して、前記第１筒部及び前記第２筒部に前記内視鏡挿入部を挿入し、
前記収納容器から、前記バルーン、前記バルーン取付治具及び前記内視鏡挿入部を取り出し、
前記第１筒部を前記内視鏡挿入部に固定した状態で、前記第２筒部及び前記バルーン取付治具を前記内視鏡挿入部の基端側に移動し、
前記第２筒部から前記バルーン取付治具を取り外し、前記内視鏡挿入部に前記バルーンを取り付ける、
バルーン取付方法。
【発明の詳細な説明】
【技術分野】
【０００１】
本発明は、取付治具付きバルーンの包装体及びバルーン取付方法に係り、特に、内視鏡の挿入部にバルーンを取り付けるための取付治具付きバルーンの包装体及びバルーン取付方法に関する。
【背景技術】
【０００２】
内視鏡装置では、膨張及び収縮するバルーンが様々な用途で用いられている。例えば、小腸又は大腸等の深部硝化管を観察する内視鏡装置では、内視鏡の挿入部に膨縮自在なバルーンが装着され、このバルーンを膨張させることによって、内視鏡の挿入部を体内に固定できるようになっている。
【０００３】
このようなバルーンは、ゴム等の弾性体によって構成されており、その端部は、自然状態で取付対象物（内視鏡の挿入部）の外径よりも小径の筒状に形成されている。そして、バルーンを装着する際は、バルーンの端部を拡径しながら取付対象物に被せた後、バルーンの端部の上から糸を巻回したりゴムバンドを外嵌させたりすることによって、バルーンの端部を取付対象物に固定している。
【０００４】
ところで、バルーンの端部を拡径しながら取付対象物に被せる作業は非常に煩わしく、取付作業に手間がかかるという問題があった。例えば、下記の特許文献１には、取付け治具本体の両端部に、取付け治具本体の内腔に挿入したバルーンの開口部を保持する保持部を有するバルーン取付け治具が記載されている。このバルーン取付け治具は、取付け治具本体の保持部でバルーンの開口部を保持するとともに、バルーンを取付け治具本体に密着させた状態で、内視鏡の挿入部に外嵌し、バルーンを内視鏡の挿入部に取り付けている。
【０００５】
また、特許文献２には、バルーン本体の両端に設けられた筒部に挿入される第１及び第２ガイド片を備えたバルーン取付治具が記載されている。このバルーン取付け治具は、第１ガイド片と第２ガイド片との間に内視鏡の挿入部を挿入することで、バルーンの筒部に内視鏡を挿入している。
【先行技術文献】
【特許文献】
【０００６】
【特許文献１】特開２００５−２３００８４号公報
【特許文献２】特開２００９−１１６５６号公報
【発明の概要】
【発明が解決しようとする課題】
【０００７】
しかしながら、特許文献１及び特許文献２に記載の取付治具は、パック内に入れられたバルーンを手作業で取付治具に取り付けた後、内視鏡の挿入部に取り付けていた。この作業は、バルーンの無菌状態を維持するため、手袋をして行うため、作業が煩わしく、手間がかかっていた。また、バルーンはパック内で無造作に入れられているため、バルーンの表面のべたつき（タック）によりバルーン同士が密着してパック内に収納されている。そのため、バルーンを内視鏡に取り付ける前に丁寧に剥がす必要があり、この点も作業に時間のかかる要因となっていた。
【０００８】
本発明は、このような事情に鑑みてなされたものであり、バルーンを内視鏡の挿入部に取り付ける作業負担を軽減できる取付治具付きバルーンの包装体及びバルーン取付方法を提供することを目的とする。
【課題を解決するための手段】
【０００９】
本発明の目的を達成するために、本発明に係る取付治具付きバルーンの包装体は、内視鏡挿入部にバルーンを装着するためのバルーン取付治具と、バルーンと、が収納容器に収納される、取付治具付きバルーンの包装体であって、バルーンは、バルーンの一端に設けられる第１筒部と、バルーンの他端に設けられる第２筒部と、第１筒部と第２筒部との間に設けられるバルーン本体と、を有し、バルーン取付治具は、中空筒状で平坦状に折りたたみ可能に形成され、一端に第１開口部を有し他端に第２開口部を有する本体部と、第２開口部から第１開口部が設けられる側とは反対側に向かって延在して設けられ、互いに対向する一対のガイド片と、を有し、収納容器の内部において、バルーンは、バルーン本体が内側に折り返され、バルーンの折り返し部分に形成された折り返し開口部の内側に、第２筒部が配置され、且つ、バルーン取付治具は、折り返し開口部から、一対のガイド片と、少なくとも本体部の一部とが挿入され、一対のガイド片は、第１筒部及び第２筒部の内側に配置されている。
【００１０】
本発明の目的を達成するために、本発明に係るバルーン取付け方法は、上記記載の取付治具付きバルーンの包装体を用いたバルーン取付方法であって、内視鏡挿入部を、第１開口部から本体部に挿入し、内視鏡挿入部を、一対のガイド片の間に挿入し、一対のガイド片を介して、第１筒部及び第２筒部に内視鏡挿入部を挿入し、収納容器から、バルーン、バルーン取付治具及び内視鏡挿入部を取り出し、第１筒部を内視鏡挿入部に固定した状態で、第２筒部及びバルーン取付治具を内視鏡挿入部の基端側に移動し、第２筒部からバルーン取付治具を取り外し、内視鏡挿入部にバルーンを取り付ける。
【発明の効果】
【００１１】
本発明の取付治具付きバルーンの包装体によれば、収納容器内において、バルーン本体が内側に折り返され、その折り返し開口部の内側に第２筒部を配置することで、バルーン取付け治具の一対のガイド片を、第１筒部及び第２筒部に挿入された状態でバルーン及びバルーン取付治具を収納させることができる。
【００１２】
そしてこの取付け治具付きバルーンの包装体を用いたバルーン取付け方法によれば、バルーン取付け治具の第１開口部から内視鏡挿入部を挿入することで、一対のガイド片を介して第１筒部及び第２筒部に内視鏡挿入部を挿入することができる。その後、収納容器から、バルーン、バルーン取付け治具及び内視鏡挿入部を取り出し、バルーン取付治具とともに第２筒部を移動させることで、第２筒部を所定の位置に移動させることができ、バルーンの内視鏡への取付を容易に行うことができる。    
【図面の簡単な説明】
【００１３】
【図１】バルーンを使用する内視鏡装置のシステム構成図である。
【図２】内視鏡の挿入部の先端部を示す斜視図である。
【図３】バルーン取付治具の平面図である。
【図４】本体部の第１開口部及び第２開口部が開いた状態の斜視図である。
【図５】本体部が折りたたまれた状態の斜視図である。
【図６】取付治具付きバルーンを説明する図である。
【図７】収納容器の斜視図である。
【図８】蓋部を外した平面図である。
【図９】取付治具付きバルーンを収納した断面図である。
【図１０】図９の底面側から見た図である。
【図１１】挿入部にバルーンを取り付ける方法を説明する図である。
【図１２】挿入部にバルーンを取り付ける方法を説明する図である。
【図１３】挿入部にバルーンを取り付ける方法を説明する図である。
【図１４】挿入部にバルーンを取り付ける方法を説明する図である。
【図１５】挿入部にバルーンを取り付ける方法を説明する図である。
【図１６】挿入部にバルーンを取り付ける方法を説明する図である。
【図１７】挿入部にバルーンを取り付ける方法を説明する図である。
【図１８】挿入部にバルーンを取り付ける方法を説明する図である。
【図１９】変形例の収納容器の斜視図である。
【図２０】変形例の収納容器に取付治具付きバルーンを収納した断面図である
【図２１】変形例の収納容器に収納されたバルーン取付治具に挿入部を挿入した図である。
【発明を実施するための形態】
【００１４】
以下、添付図面に従って、本発明に係る取付治具付きバルーンの包装体、及び、バルーン取付け方法について説明する。
【００１５】
図１は、本発明に係る取付治具付きバルーンの包装体内に収納されるバルーンを使用する内視鏡装置の一例を示すシステム構成図である。図１に示すように内視鏡装置は主として、内視鏡１０、バルーン６０及びバルーン制御装置７０で構成される。
【００１６】
内視鏡１０は、操作部１４と、この操作部１４に連設され、体内に挿入される挿入部１２とを備える。操作部１４には、ユニバーサルコード１６が接続され、このユニバーサルコード１６の先端にＬＧコネクタ１８が設けられる。ＬＧコネクタ１８は光源装置２０に着脱自在に連結され、これによって挿入部１２の先端に設けた照明窓（不図示）に照明光が送られる。また、ＬＧコネクタ１８には、ケーブル２２を介して電気コネクタ２４が接続され、この電気コネクタ２４がプロセッサ２６に着脱自在に連結される。
【００１７】
操作部１４には、送気送水ボタン２８、吸引ボタン３０、シャッターボタン３２、及び機能切替ボタン３４が並設されるとともに、一対のアングルノブ３６、３６が設けられる。
【００１８】
挿入部１２は、操作部１４側から順に軟性部４０、湾曲部４２、及び先端部４４で構成される。軟性部４０は、螺旋状に巻回された金属板の外周にネットを被せ、その外周を被覆することにより構成されており、十分な可撓性を有している。
【００１９】
湾曲部４２は、操作部１４のアングルノブ３６、３６を回動することによって遠隔的に湾曲するように構成される。たとえば、湾曲部４２は、円筒状の複数の節輪をピンによって回動自在に連結するとともに、その節輪の内部に複数本の操作ワイヤを挿通させてピンにガイドさせている。そして、操作ワイヤを押し引き操作することによって、節輪同士が回動して湾曲部４２が湾曲操作されるようになっている。この湾曲部４２を湾曲操作することによって、先端部４４を所望の方向に向けることができる。
【００２０】
図２に示すように、先端部４４の先端面には、観察窓５２、照明窓５４、５４、送気送水ノズル５６、及び、鉗子口５８が設けられる。観察窓５２の後方には観察光学系及びＣＭＯＳ（Complementary Metal Oxide Semiconductor）やＣＣＤ（Charge Coupled Device）等の撮像素子が配設され、この撮像素子を支持する基板に信号ケーブルが接続される。信号ケーブルは挿入部１２、操作部１４、及び、ユニバーサルコード１６等に挿通されて電気コネクタ２４まで延設され、プロセッサ２６に接続される。よって、観察窓５２で取り込まれた観察像が撮像素子の受光面に結像されて電気信号に変換され、この電気信号が信号ケーブルを介してプロセッサ２６に出力され、映像信号に変換される。これにより、プロセッサ２６に接続されたモニタ５０に観察画像が表示される。
【００２１】
照明窓５４は、その後方に照明光学系及びライトガイド（不図示）の出射端が配設される。ライトガイドは挿入部１２、操作部１４及びユニバーサルコード１６に挿通されてＬＧコネクタ１８内にその入射端が配設される。したがって、ＬＧコネクタ１８を光源装置２０に連結することによって、光源装置２０から照射された照明光がライトガイドを介して照明光学系に伝送され、照明窓５４から前方に照射される。
【００２２】
先端部４４に設けた送気送水ノズル５６は、送気送水ボタン２８によって操作されるバルブ（不図示）に連通される。このバルブがＬＧコネクタ１８に設けた送気送水コネクタ４８に連通される。送気送水コネクタ４８には不図示の送気送水手段が接続され、エア及び水が供給される。したがって、送気送水ボタン２８を操作することによって、送気送水ノズル５６からエア又は水が観察窓５２に向けて噴射される。
【００２３】
先端部４４に設けた鉗子口５８は、鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブ（不図示）に連通され、このバルブがＬＧコネクタ１８の吸引コネクタ４９に接続される。したがって、吸引コネクタ４９に不図示の吸引手段を接続し、吸引ボタン３０で操作することによって、鉗子口５８から病変部等を吸引することができる。
【００２４】
内視鏡１０の挿入部１２の外周には、バルーン６０が着脱自在に装着される。バルーン６０は、シリコンゴム等の弾性材料から構成される。バルーン６０は、一端に設けられた第１筒部６０Ａと、他端に設けられた第２筒部６０Ｂと、第１筒部６０Ａと第２筒部６０Ｂとの間に設けられるバルーン本体６０Ｃと、を有し、第１筒部６０Ａ及び第２筒部６０Ｂは、バルーン本体６０Ｃに対して絞られた略筒状に形成されている。
【００２５】
このバルーン６０は、挿入部１２を挿通させることによって、所定の装着位置（たとえば先端部４４から湾曲部４２にかけて）に配置される。第１筒部６０Ａ及び第２筒部６０Ｂは、自然状態では、内視鏡１０の挿入部１２の外径より小さな内径で構成される。バルーン６０が挿入部１２に装着されると、第１筒部６０Ａの弾性力、及び、第２筒部６０Ｂの弾性力は、挿入部１２の径方向内側に向けて作用する。弾性力により、バルーン６０は挿入部１２の所定の位置に保持される。
【００２６】
第１筒部６０Ａの外周上に、筒形状の第１バルーン固定部材６１であるゴムバンドが嵌め込まれ、第２筒部６０Ｂの外周上に、筒形状の第２バルーン固定部材６２であるゴムバンドが嵌め込まれる。第１バルーン固定部材６１及び第２バルーン固定部材６２により、バルーン６０が挿入部１２に固定される。本発明の取付治具付きバルーンの包装体は、バルーン６０、及び、バルーン６０を挿入部１２に装着させるためのバルーン取付治具を含んでおり、その説明は後述する。
【００２７】
挿入部１２のバルーン装着位置には、通気孔６４が形成されており、この通気孔６４が図１に示す操作部１４のバルーン送気口３８に連通される。バルーン送気口３８には、図１のチューブ８０が接続され、このチューブ８０を介してバルーン制御装置７０が接続される。バルーン制御装置７０は、バルーン６０にエア等の流体を供給・吸引する装置であり、このバルーン制御装置７０から、流体（たとえばエア）を供給、吸引することによって、バルーン６０にエアを供給、吸引することができる。バルーン６０はエアを供給することによって略球状に膨張し、エアを吸引することによって挿入部１２の外表面に張り付くようになっている。
【００２８】
図１に示すように、バルーン制御装置７０は主として、装置本体７２と、リモートコントロール用のハンドスイッチ７４で構成される。装置本体７２の前面には、電源スイッチＳＷ１、停止スイッチＳＷ２、圧力表示部７６が設けられる。圧力表示部７６はバルーン６０の圧力値を表示するパネルであり、バルーン破れ等の異常発生時にはこの圧力表示部７６にエラーコードが表示される。
【００２９】
装置本体７２の前面には、バルーン６０へのエア供給及び吸引を行うチューブ８０が接続される。チューブ８０と装置本体７２との接続部分にはバルーン６０が破れた時の体液の逆流を防止するための逆流防止ユニット８２が設けられる。逆流防止ユニット８２は、装置本体７２に着脱自在に装着された中空円盤状のケース（不図示）の内部に気液分離用のフィルタを組み込むことによって構成されており、装置本体７２内に液体が流入することをフィルタによって防止する。
【００３０】
一方、ハンドスイッチ７４には、各種のスイッチが設けられる。たとえば、装置本体７２側の停止スイッチＳＷ２と同様の停止スイッチや、バルーン６０の加圧及び減圧を指示するＯＮ／ＯＦＦスイッチ、バルーン６０の圧力を保持するためのポーズスイッチなどが設けられる。このハンドスイッチ７４はコード８４を介して装置本体７２に電気的に接続されている。なお、図１には示してないが、ハンドスイッチ７４には、バルーン６０の送気状態、或いは排気状態を示す表示部が設けられている。
【００３１】
バルーン制御装置７０は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００３２】
バルーン制御装置７０は、バルーン専用モニタ８６に接続されており、バルーン６０を膨張及び収縮させる際に、バルーン６０の圧力値や膨張及び収縮状態をバルーン専用モニタ８６に表示する。なお、バルーン６０の圧力値や膨張及び収縮状態は、内視鏡１０の観察画像にスーパーインポーズしてモニタ５０に表示するようにしてもよい。
【００３３】
内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３４】
［取付治具付きバルーンの包装体］
次に、本実施形態に係る取付治具付きバルーンの包装体について説明する。取付治具付きバルーンの包装体は、バルーン６０を内視鏡１０の挿入部１２への装着を容易するために用いられる。取付治具付きバルーンの包装体は、内視鏡１０の挿入部１２にバルーン６０を取付けるためのバルーン取付治具と、バルーン６０とが、収納容器に収納されて構成されている。
【００３５】
バルーン６０の第１筒部６０Ａ及び第２筒部６０Ｂは、自然状態では、その内径が挿入部１２の外径よりも小さく、自然状態で挿入部１２を挿通させることは難しい。本実施形態に係る取付治具付きバルーンの包装体によれば、バルーンに取付治具が取り付けた状態で収納容器内に収納されているため、バルーン取付治具をバルーンに取り付ける作業を省略できる。また、バルーン取付治具により、バルーンを内視鏡に容易に取り付けることができ、作業者の負担を軽減することができる。なお、自然状態とは外力が作用されていない状態を意味する。第１筒部６０Ａ及び第２筒部６０Ｂは膨張、及び収縮されていない状態である。
【００３６】
（バルーン取付治具）
まず、バルーン取付治具について説明する。図３は、バルーン取付治具の平面図である。図４は、本体部の第１開口部及び第２開口部が開いた状態の斜視図である。図５は、本体部が折りたたまれた状態の斜視図である。
【００３７】
バルーン取付治具１００は、一端に第１開口部１０４を有し、他端に第２開口部１０６を有する中空筒状に形成された本体部１０２を有する。本体部１０２の第２開口部１０６には、第２の開口部１０６を挟んで、互いに対向する一対のガイド片１０８ａ、１０８ｂを有する。また、本体部１０２には、一端から他端に向かって設けられ、本体部１０２を両方向から内側に折り曲げ可能とする２組の折り曲げ部１１０ａ、１１０ｂ、１１０ｃが形成されている。折り曲げ部１１０ａ、１１０ｃを山折り、折り曲げ部１１０ｂを谷折りとすることで、本体部１０２を内側に折り曲げることができる。また、折り曲げ部１１０ａ、１１０ｂ、１１０ｃで折り曲げることで、本体部１０２は、平坦状に折りたたみ可能であり、図５に示すように、一対のガイド片１０８ａ、１０８ｂを重ね合わせることができる。
【００３８】
一対のガイド片１０８ａ、１０８ｂは、第２開口部１０６から第１開口部１０４とは反対側の先端側に向かって延在して設けられている。一対のガイド片１０８ａ、１０８ｂの幅は、平坦状に折りたたまれた本体部１０２より狭い幅で形成されている。これにより、バルーン取付治具１００をバルーン６０に取り付けた際に、一対のガイド片１０８ａ、１０８ｂをバルーン６０の第１筒部６０Ａ及び第２筒部６０Ｂの内側に配置することができる。内視鏡１０の挿入部１２をバルーン６０に取り付ける際に、挿入部１２を一対のガイド片１０８ａ、１０８ｂに沿って挿入することで、第１筒部６０Ａ及び第２筒部６０Ｂに挿入しやすくすることができる。
【００３９】
本体部１０２の第１開口部１０４側は、第１開口部１０４側から延在して設けられ、且つ、平坦状に折りたたまれた本体部１０２より幅の広い翼部１１２を有する。翼部１１２は、本体部１０２が折りたたまれた状態において、第１開口部１０４の対向する端部の一方側からのみ延在して形成されているが、両側から形成してもよい。翼部１１２は、後述する収納容器（図８参照）に収納した際に、凹部に当接される部分であり、翼部１１２が凹部に当接されることで、本体部１０２の移動及び回転が防止される。
【００４０】
本体部１０２及び一対のガイド片１０８ａ、１０８ｂの材質は、バルーンの材料である、シリコンゴム、及び、ラテックス等のゴム製品が密着しにくい材質とすることが好ましく、具体的には、画用紙及びケント紙等の紙、又は、フッ素樹脂、シリコン樹脂、ポリプロピレン樹脂及びポリカーボネート樹脂等の樹脂を用いることができる。また、紙で形成する場合、本体部１０２を拡げたり、折りたたんだりしやすく、また、破れにくいユポ紙（登録商標）を用いることが好ましい。
【００４１】
（バルーン及びバルーン取付治具の収納容器内の形態）
次に、バルーン６０及びバルーン取付治具１００の、後述する収納容器内での形態について説明する。図６は、取付治具付きバルーンを説明する図である。取付治具付きバルーン２００は、バルーン６０にバルーン取付治具１００を取付けることで構成される。
【００４２】
バルーン６０にバルーン取付治具１００を取り付ける際は、まず、第２筒部６０Ｂに、一対のガイド片１０８ａ、１０８ｂを挿入し、一対のガイド片１０８ａ、１０８ｂの先端側の部分を第２筒部６０Ｂから突出させる。さらに、一対のガイド片１０８ａ、１０８ｂをバルーン本体６０Ｃの内側に挿入していくことで、第２筒部６０Ｂが、第１筒部６０Ａ側に移動するとともに、バルーン本体６０Ｃが内側に折り返され、折り返し開口部６６が形成される。そして、折り返し開口部６６から、さらに、ガイド片１０８ａ、１０８ｂ及び本体部１０２を挿入することで、第２筒部６０Ｂから突出したガイド片１０８ａ、１０８ｂの先端側の部分を、第１筒部６０Ａに挿入し、バルーン取付治具１００をバルーン６０に取り付けることができる。
【００４３】
図６に示すように、バルーン６０にバルーン取付治具１００を取付けた状態において、第２筒部６０Ｂは、折り返し開口部６６の内側に配置される。一対のガイド片１０８ａ、１０８ｂは、第１筒部６０Ａの内側にガイド片１０８ａ、１０８ｂの先端側が配置される。また、第２筒部６０Ｂの内側にガイド片１０８ａ、１０８ｂの基端側が配置される。第１筒部６０Ａ内の一対のガイド片１０８ａ、１０８ｂは、Ｆ−Ｆ断面２０２に示すように、一対のガイド片１０８ａ、１０８ｂの長手方向Ａ（図３参照）に沿って、外側に向かって折れ曲がって配置されている。これにより、バルーン取付治具１００の収納状態において、第１開口部１０４を、完全に折りたたんだ状態から少し開くことができる。したがって、内視鏡１０の挿入部１２を第１開口部１０４に入れやすくすることができる。
【００４４】
収納容器内において、バルーン６０は、バルーン本体６０Ｃが内側に折り返されているため、バルーン本体６０Ｃの内側同士が接触して収納されている。バルーン６０の製造方法としては、例えば、型をバルーンの材料となる樹脂溶液に浸した後、樹脂溶液から取り出し、乾燥させることで、型の周囲にバルーンを形成する。その後、バルーンの内部から型を取り出すことでバルーンを製造する。型の外表面には微細な凹凸が形成されており、製造時にバルーン６０の内側は、型と接触しているため微細な凹凸が転写され、シボが付与されている。そのため、バルーン６０の内側の面同士が接触したとき、べたつき（タック）があっても貼りつくことがなく、安定した形状を保つことができる。また、バルーン６０の折り返し開口部６６内に、バルーン取付治具１００が配置されるため、バルーン６０の表面同士が接触し、貼りつくことも防止することができる。これにより、収納容器からバルーン６０を取り出した際の表面同士の貼りつきを防止することができる。
【００４５】
（収納容器）
次に、取付治具付きバルーン２００を収納する収納容器について説明する。図７は、収納容器の斜視図であり、図８は、蓋部を外した状態における平面図である。図９は、収納容器内に取付治具付きバルーンを収納した状態の断面図であり、図１０は、底面側から見た図である。
【００４６】
収納容器３００は、有底の筒状の胴部３０２と、胴部３０２の底部３０４に設けられ、且つ、胴部３０２の内径より小さい内径を有する小溝部３０６と、底部３０４の反対側に設けられた容器開口部３０８と、を有する。胴部３０２の容器開口部３０８側には、バルーン取付治具１００の挿入方向Ｂに垂直な方向で凹形状に形成された凹部３１０を有する。また、容器開口部３０８は、容器開口部３０８からバルーン取付治具１００の挿入方向Ｂに垂直な方向に、広がって設けられた鍔部３１２を有し、鍔部３１２には蓋部３１４が貼付される。
【００４７】
取付治具付きバルーン２００の収納容器３００の収納時において、バルーン６０のバルーン本体６０Ｃ及び第２筒部６０Ｂが、胴部３０２に収納され、第１筒部６０Ａが、小溝部３０６に収納される。バルーン本体６０Ｃを胴部３０２に収納することで、バルーン取付治具１００の周囲に配置されたバルーン本体６０Ｃ同士の貼りつきを防止し、バルーン本体６０Ｃの形態を保持することができる。
【００４８】
胴部３０２は、底部３０４から容器開口部３０８に向かって、内径が広がるテーパ形状で形成されていることが好ましい。容器開口部３０８側に向かって広がるテーパ形状とすることで、取付治具付きバルーン２００を取り出し易くすることができる。また、収納容器３００の製造においても、容器開口部３０８側を広くすることで、型から抜きやすくすることができる。
【００４９】
胴部３０２の最大の内径Ｌ１はバルーン本体６０Ｃの自然状態における外径の１０２％以上１１０％以下とすることが好ましい。胴部３０２の内径Ｌ１をこの範囲とすることで、収納容器３００内に取付治具付きバルーン２００を入れやすくすることができる。また、収納容器３００内で、取付治具付きバルーン２００が移動することを防止することができる。胴部３０２を容器開口部３０８に向かって、内径が広がるテーパ形状とした場合は、容器開口部３０８での胴部３０２の内径Ｌ１が最大の内径となる。
【００５０】
小溝部３０６は、第１筒部６０Ａ及び一対のガイド片１０８ａ、１０８ｂを収納する。小溝部３０６は、胴部３０２の軸方向（バルーン取付治具１００の挿入方向Ｂと同方向）に垂直な方向Ｃに切断した断面形状が楕円形である。収納容器３００に取付治具付きバルーン２００を収納した状態において、一対のガイド片１０８ａ、１０８ｂの先端は、小溝部３０６の楕円形状の短軸方向Ｄに沿って、配置されることが好ましい（図１０）。なお、「ガイド片を短軸方向に沿って配置する」とは、一対のガイド片のそれぞれが小溝部３０６の短軸を挟んで両側に配置されていることを意味する。
【００５１】
凹部３１０には、バルーン取付治具１００の翼部１１２が収納される。凹部３１０は、バルーン取付治具１００の挿入方向Ｂに垂直な方向に形成された位置決め面３１０ａと、胴部の円周方向に形成された第１規制面３１０ｂと、を有する。位置決め面３１０ａと、バルーン取付治具１００の翼部１１２が接触することで、バルーン取付治具１００の挿入方向Ｂに垂直な方向の位置を決定し、胴部３０２の側面にバルーン本体６０Ｃが接触することを防止することができ、バルーンの形態を安定させることができる。
【００５２】
また、第１規制面３１０ｂも同様に、翼部１１２と接触することで、バルーン取付治具１００の挿入方向Ｂの中心軸に対する回転方向を規制することができる。これにより、輸送にともなう取付治具付きバルーン２００の回転を防止することができ、バルーン取付治具１００の周囲に配置されたバルーン本体６０Ｃ同士の貼りつきを防止し、バルーン本体６０Ｃの形態を保持することができる。
【００５３】
鍔部３１２は、容器開口部３０８から、バルーン取付治具１００の挿入方向Ｂに垂直な方向に、広がって形成されている。鍔部３１２は、外周部３１２ａと内周部３１２ｂとにより構成されており、容器開口部３０８側から内周部３１２ｂ、外周部３１２ａの順で設けられている。内周部３１２ｂは、バルーン取付治具１００の挿入方向Ｂにおいて、外周部３１２ａより底部３０４側に形成されている。すなわち、外周部３１２ａと内周部３１２ｂは段差状に形成されており、外周部３１２ａが、底部３０４側と反対方向に突出して形成されている。
【００５４】
蓋部３１４は、鍔部３１２に貼付され、収納容器３００内を密閉し、滅菌性を確保する。蓋部３１４は鍔部３１２の外周部３１２ａの基端側に設けられた被貼付面に貼付される。外周部３１２ａに蓋部３１４を貼付することで、蓋部３１４を貼付する面積を小さくすることができる。
【００５５】
［バルーン取付方法］
次に、図１１から図１８を用いて、バルーン取付方法について説明する。
【００５６】
取付け治具付きバルーンの包装体を準備し、蓋部３１４外す。図１１は、蓋部を外した取付け治具付きバルーンの包装体に内視鏡の挿入部を挿入する図である。図１２に示すように、蓋部３１４を外した取付け治具付きバルーンの包装体は、バルーン取付治具１００の第１開口部１０４側が、収納容器３００の容器開口部３０８側に配置される。この状態で、内視鏡１０の挿入部１２を、第１開口部１０４から挿入する。挿入部１２は、収納容器３００の小溝部３０６に突き当たるまで差し込む。
【００５７】
図１２は、挿入部の先端を小溝部の先端に突き当たるまで挿入した状態を説明する図である。第１開口部１０４から挿入された挿入部１２は、本体部１０２内を通過し、第２開口部１０６から一対のガイド片１０８ａ、１０８ｂの間に挿入される。取付治具付きバルーン２００は、図６に示すように、一対のガイド片１０８ａ、１０８ｂの外側に、第１筒部６０Ａ及び第２筒部６０Ｂが配置されている。したがって、一対のガイド片１０８ａ、１０８ｂの間に挿入部１２を挿入することで、一対のガイド片１０８ａ、１０８ｂを介して、挿入部１２を第１筒部６０Ａ及び第２筒部６０Ｂの内部に挿入することができる。
【００５８】
また、図１０に示すように、収納容器３００に取付治具付きバルーン２００を収納した状態において、一対のガイド片１０８ａ、１０８ｂの先端は、小溝部３０６の楕円形状の短軸方向Ｄに沿って、配置される。挿入部１２を一対のガイド片１０８ａ、１０８ｂを介して第１筒部６０Ａに挿入すると、小溝部３０６の短軸方向Ｄにおいては、挿入部１２は第１筒部６０Ａと接触する。また、小溝部３０６の短軸方向Ｄから挟持される。小溝部３０６の長軸方向Ｅにおいては、挿入部１２は一対のガイド片１０８ａ、１０８ｂと接触するため、第１筒部６０Ａと接触している場合と比較し、挿入部１２を移動しやすくすることができる。さらに、長軸方向Ｅにおいては、挿入した挿入部１２の第１筒部６０Ａを挟んで反対側は、空間３１６を有する。これにより、第１筒部６０Ａに挿入された挿入部は、小溝部３０６の短軸方向Ｄから固定され、長軸方向Ｅに挿入部１２を動かすことができる。したがって、挿入部１２を長軸方向に動かしながら、挿入することで、挿入部１２を小溝部３０６の先端まで挿入することができる。
【００５９】
また、取付治具付きバルーン２００は、バルーン装着時に挿入部１２の先端がバルーンを引き摺り、先端からはみ出てしまう寸法を考慮し、一対のガイド片１０８ａ、１０８ｂの先端が第１筒部６０Ａの先端から０．５〜３ｍｍ程度突出した状態で収納容器３００内に収納されていることが好ましい。一対のガイド片１０８ａ、１０８ｂを小溝部３０６の先端に接触した状態で、挿入部１２の先端を小溝部３０６の先端に突き当たるまで挿入することで、第１筒部６０Ａの端部と挿入部１２の先端を一致させることができる。
【００６０】
次に、図１３に示すように、収納容器３００から、挿入部１２が挿入された取付治具付きバルーン２００を引き抜く。なお、引き抜いた取付治具付きバルーン２００及び内視鏡１０において、挿入部１２の先端とバルーン６０の第１筒部６０Ａの端部との位置が一致していない場合、バルーン取付治具１００を挿入部１２の長手軸方向に移動させ、挿入部１２の先端とバルーン６０の第１筒部６０Ａの端部との位置を一致させる。取付治具付きバルーン２００及び内視鏡１０を引き抜いた際に、挿入部１２の先端とバルーン６０の第１筒部６０Ａの端部との位置が一致している場合は、この工程は行わなくともよい。
【００６１】
次に、挿入部１２と第１筒部６０Ａが接している部分を押さえる。具体的には、挿入部１２の一対のガイド片１０８ａ、１０８ｂの部分を避けて、第１筒部６０Ａを挿入部１２に押さえつける。そして、第１筒部６０Ａを押さえた状態で、図１４に示すように、バルーン取付治具１００を、挿入部１２の基端側に移動させる。第１筒部６０Ａを押さえた状態で、バルーン取付治具１００を移動させることで、第１筒部６０Ａの位置を固定して、第２筒部６０Ｂの位置を、バルーン取付治具１００と一緒に移動させることができる。これにより、図１５に示すように、第２筒部６０Ｂを折り返し開口部６６の外側に出し、第２筒部６０Ｂをバルーン取付長さとなる位置まで移動する。
【００６２】
バルーン取付長さの調整は、収納容器３００の鍔部３１２を用いて行うことができる。鍔部３１２の一方の端部から他方の端部までの長さＬ２を、バルーン取付長さと等しくする（図７参照）。「バルーン取付長さ」とは、バルーン６０が内視鏡１０の挿入部１２に取り付けられた状態における、第１筒部６０Ａの端部から第２筒部６０Ｂの端部までの長さのことをいう。鍔部３１２の長さＬ２を、バルーン取付長さと等しくすることで、挿入部１２に装着したバルーン６０を、適切な長さに調整する目安とすることができるので、バルーン６０の長さの調整を容易に行うことができる。
【００６３】
次に、図１６に示すように、バルーン６０の位置が動かないように注意して、一対のガイド片１０８ａ、１０８ｂが外れるまで、第２筒部６０Ｂを、第１筒部６０Ａ側に向かって、巻き込む。第２筒部６０Ｂを、一対のガイド片１０８ａ、１０８ｂが外れるまで、巻き回したら、バルーン取付治具１００を取り外す。バルーン取付治具１００は、本体部１０２の第１開口部１０４及び第２開口部１０６を開いた状態とし、バルーン取付治具１００を挿入部１２に先端方向に移動させることで、バルーン取付治具１００を抜き取る。バルーン取付治具１００が紙で形成されている場合は、バルーン取付治具１００を破って取り除いてもよい。
【００６４】
バルーン取付治具１００を外したら、バルーン６０の位置が動かないように固定し、第２筒部６０Ｂを巻き戻す（図１７）。次に、図１８に示すように、収納容器３００の鍔部３１２を用いて、最終的に、第２筒部６０Ｂの位置をバルーン取付長さとなるように調整し、バルーン６０を挿入部１２に取り付ける。
【００６５】
最後に、バルーン６０の第１筒部６０Ａ及び第２筒部６０Ｂに第１バルーン固定部材６１及び第２バルーン固定部材６２が嵌め込まれることで、バルーン６０を挿入部１２に固定する（図２参照）。第１バルーン固定部材６１及び第２バルーン固定部材６２としては、ゴムバンドを用いることができる。ゴムバンドの装着は、例えば特開２０１３−１２６５２６に記載の装置を用いて行うことができる。また、第１バルーン固定部材６１及び第２バルーン固定部材６２としては、糸を用いることができ、第１筒部６０Ａ及び第２筒部６０Ｂを糸で巻くことで、バルーン６０を挿入部１２に固定することができる。
【００６６】
＜収納容器の変形例＞
図１９は、収納容器の変形例を示す斜視図であり、図２０は、収納容器内に取付治具付きバルーンを収納した状態の断面図である。
【００６７】
変形例の収納容器４００の胴部４０２は、容器開口部３０８側に設けられた胴部本体４１８と、小溝部３０６側に設けれ、胴部本体４１８より幅の狭い中溝部４２０と、胴部本体４１８と中溝部４２０との間に設けられた段差部４２２と、を有する。図１９に示す収納容器４００においては、段差部４２２は、挿入部１２の挿入方向に対して、垂直方向の面を有して形成されている。
【００６８】
収納容器４００においては、胴部本体４１８には、バルーン取付治具１００の本体部１０２が収納される。小溝部３０６及び中溝部４２０には、バルーン取付治具の一対のガイド片１０８ａ、１０８ｂが収納される。このような構成とすることで、バルーン取付治具１００が収納された状態において、胴部本体４１８と中溝部４２０の境界に、バルーン取付治具１００の本体部１０２の一対のガイド片１０８ａ、１０８ｂ側の端部を配置させることができる。すなわち、収納容器４００の胴部本体４１８と中溝部４２０との間に設けられた段差部４２２と、バルーン取付治具１００の本体部１０２の一対のガイド片１０８ａ、１０８ｂ側の端部と、を内視鏡１０の挿入部１２の挿入方向と垂直方向において、同一面とすることができる。この構成により、段差部４２２が、バルーン取付治具１００の本体部１０２の挿入方向の位置を規制する第２規制面４２４となり、第２規制面４２４と、被規制部１１６であるバルーン取付治具１００の本体部１０２の一対のガイド片１０８ａ、１０８ｂ側の端部とが接触することで、バルーン取付治具１００の挿入方向の位置を規制することができる。
【００６９】
バルーン取付治具１００の本体部１０２には、図３から図５に示すように、幅方向の側部に折り曲げ部１１０ａ、１１０ｂ、１１０ｃが設けられており、本体部１０２を内側に折り曲げることで、平坦状に折りたたみ可能としている。折り曲げ部１１０ａ、１１０ｂ、１１０ｃは、内視鏡１０の挿入部１２の挿入方向に沿って形成されているので、挿入方向に力を加えた時の座屈強度を大きくすることができる。第２規制面４２４の位置は、バルーン取付治具１００が収納された状態において、一対のガイド片１０８ａ、１０８ｂの幅方向に設けられている。本体部１０２の折り曲げ部１１０ａ、１１０ｂ、１１０ｃの位置で第２規制面４２４と接触させることで、本体部１０２が挿入方向に座屈することを防止することができる。したがって、挿入部１２の挿入時に、一対のガイド片１０８ａ、１０８ｂに力が加わることを防止することができ、一対のガイド片１０８ａ、１０８ｂが折れ曲がることを防止できる。これにより、挿入部１２を安定して、バルーン６０の第１筒部６０Ａ及び一対のガイド片１０８ａ、１０８ｂの先端まで挿入することができる。
【００７０】
また、一対のガイド片１０８ａ、１０８ｂが折れ曲がることを防止することができるので、一対のガイド片１０８ａ、１０８ｂの座屈強度は、本体部１０２の座屈強度より小さくすることができる。これにより、一対のガイド片１０８ａ、１０８ｂの厚みを薄くすることができる。一対のガイド片１０８ａ、１０８ｂの厚みを薄くすることで、バルーン取付治具１００が受けるバルーン６０の張力の影響を減らすことができ、バルーン６０からバルーン取付治具１００を抜く時だけでなく、バルーン取付治具１００とバルーン６０を一体として、挿入部１２上で移動させやすくなり、バルーン取付作業を容易に行うことができる。
【００７１】
図２１は、変形例の収納容器に収納されたバルーン取付治具に挿入部を挿入した図である。内視鏡１０の挿入部１２を、バルーン取付治具１００の第１開口部１０４から一対のガイド片１０８ａ、１０８ｂに沿って挿入すると、バルーン６０の第１筒部６０Ａ及び第２筒部６０Ｂの張力の影響で挿入抵抗がかかり、バルーン取付治具１００は、挿入部１２の挿入方向に力が加わる。収納容器４００においては、段差部４２２とバルーン取付治具１００の被規制部１１６が接することで、バルーン取付治具１００が挿入部１２の挿入方向に移動することを防止できる。したがって、一対のガイド片１０８ａ、１０８ｂに、挿入部１２の挿入方向に力が加わることを防止でき、一対のガイド片１０８ａ、１０８ｂが折れ曲がることを防止できる。これにより、挿入部１２をバルーン６０の第１筒部６０Ａの先端まで容易に挿入することができる。
【００７２】
［一対のガイド片の形状］
次に、一対のガイド片１０８ａ、１０８ｂの好ましい形状について説明する。図３に示すように、一対のガイド片１０８ａ、１０８ｂは、ガイド片１０８ａ、１０８ｂの先端側に設けられた先端部を有し、ガイド片１０８ａ、１０８ｂの幅方向の一方の端部は、長手方向Ａに対して、斜めに形成された傾斜部１１４を有する。傾斜部１１４は、先端側に向かって直線状で、ガイド片１０８ａ、１０８ｂの幅が狭まるように、形成されている。これにより、ガイド片１０８ａ、１０８ｂがバルーン６０の第１筒部６０Ａ及び第２筒部６０Ｂに挿入しやすくすることができる。傾斜部１１４を設けることで、一対のガイド片１０８ａ、１０８ｂを介して第１筒部６０Ａに挿入部１２を挿入した際の、挿入部１２と第１筒部６０Ａとが接触する領域を広くすることができる。これにより、挿入部１２と第１筒部６０Ａとが接触する領域を指で押さえることで、バルーン取付治具１００を第１筒部６０Ａから容易に抜くことができる。
【００７３】
傾斜部１１４は、一対のガイド片１０８ａ、１０８ｂのそれぞれに設けられている。傾斜部１１４の位置は、本体部１０２の中心軸に対して対称の位置に設けられている。すなわち、ガイド片１０８ａ、１０８ｂのいずれか一方側から一対のガイド片１０８ａ、１０８ｂを見た場合、傾斜部１１４が重ならない位置に設けられている。本体部１０２の中心軸に対して、対称の位置とすることで、挿入部１２の幅方向の両側から第１筒部６０Ａを押さえることができ、バルーン取付治具１００を抜きやすくすることができる。
【００７４】
また、傾斜部１１４を設けることで、一対のガイド片１０８ａ、１０８ｂと、第１筒部６０Ａとの接触面積を小さくすることができる。一対のガイド片１０８ａ、１０８ｂと、第１筒部６０Ａとの接触面積を小さくすることで、挿入部１２を挿入する際に、挿入部１２が第１筒部６０Ａ及び第２筒部６０Ｂと接する面積が大きくなる。したがって、挿入部１２は挿入しにくくなる。一方で、ガイド片１０８ａ、１０８ｂを抜く際は、第１筒部６０Ａを挿入部１２に抑えることができるので、ガイド片１０８ａ、１０８ｂを抜きやすくすることができる。
【００７５】
反対に、内視鏡１０の挿入部１２を挿入した時の、一対のガイド片１０８ａ、１０８ｂと、第１筒部６０Ａとの接触面積が大きいと、ガイド片１０８ａ、１０８ｂの間に挿入部１２を挿入させることができるため、容易に挿入することができる。しかしながら、ガイド片１０８ａ、１０８ｂを第１筒部６０Ａから抜く際に、第１筒部６０Ａ及び挿入部１２を抑える面積が少なくなるため、ガイド片１０８ａ、１０８ｂを抜きにくくなる。
【００７６】
挿入部１２の挿入しやすさ、及び、一対のガイド片１０８ａ、１０８ｂの抜きやすさを両立させるためには、一対のガイド片１０８ａ、１０８ｂが、挿入部１２を挿入した際に挿入部１２と５５％以上７０％以下の接触面積をもつ接触面を有することが好ましい。以下は、一対のガイド片１０８ａ、１０８ｂの面積を変更し、挿入部１２と一対のガイド片１０８ａ、１０８ｂの接触面積に対する挿入部１２の挿入しやすさ、バルーン取付治具１００の抜きやすさを比較した表である。なお、評価は以下の基準で行った。
【００７７】
〔挿入しやすさ〕
Ａ：問題なく挿入できる。
Ｂ：挿入できるが、内視鏡を強く押す必要がある。
Ｃ：挿入できるが、バルーンの先端位置がずれる場合がある。
【００７８】
〔抜きやすさ〕
Ａ：問題なく抜くことができる。
Ｂ：抜くことはできるがバルーンを強く押さえる必要がある。
Ｃ：抜くことはできるがバルーンの先端位置がずれる場合がある。
【００７９】
【表１】
2020163114.tif 000003
【００８０】
表１に示すように、接触面積を５５％以上７０％以下とすることで、挿入部１２の挿入しやすさと、ガイド片１０８ａ、１０８ｂの抜きやすさを両立することができる。
【００８１】
以上説明したとおり、本実施形態によれば、バルーン取付治具１００の第１開口部１０４から内視鏡１０の挿入部１２を挿入することで、挿入部１２を一対のガイド片１０８ａ、１０８ｂを介して、第１筒部６０Ａ及び第２筒部６０Ｂに挿入することができる。その後、収納容器３００から、バルーン６０、バルーン取付治具１００及び内視鏡１０を取り出し、バルーン取付治具１００と一緒に第２筒部６０Ｂを移動させ、内視鏡１０に取り付けたバルーン６０の位置を調整することで、バルーン６０を内視鏡１０に容易に取り付けることができる。
【符号の説明】
【００８２】
１０  内視鏡
１２  挿入部
１４  操作部
１６  ユニバーサルコード
１８  ＬＧコネクタ
２０  光源装置
２２  ケーブル
２４  電気コネクタ
２６  プロセッサ
２８  送気送水ボタン
３０  吸引ボタン
３２  シャッターボタン
３４  機能切替ボタン
３６  アングルノブ
３８  バルーン送気口
４０  軟性部
４２  湾曲部
４４  先端部
４６  鉗子挿入部
４８  送気送水コネクタ
４９  吸引コネクタ
５０  モニタ
５２  観察窓
５４  照明窓
５６  送気送水ノズル
５８  鉗子口
６０  バルーン
６０Ａ  第１筒部
６０Ｂ  第２筒部
６０Ｃ  バルーン本体
６１  第１バルーン固定部材
６２  第２バルーン固定部材
６４  通気孔
６６  折り返し開口部
７０  バルーン制御装置
７２  装置本体
７４  ハンドスイッチ
７６  圧力表示部
８０  チューブ
８２  逆流防止ユニット
８４  コード
８６  バルーン専用モニタ
１００  バルーン取付治具
１０２  本体部
１０４  第１開口部
１０６  第２開口部
１０８ａ、１０８ｂ  ガイド片
１１０ａ、１１０ｂ、１１０ｃ  折り曲げ部
１１２  翼部
１１４  傾斜部
１１６  被規制部
２００  取付治具付きバルーン
２０２  断面
３００、４００  収納容器
３０２、４０２  胴部
３０４  底部
３０６  小溝部
３０８  容器開口部
３１０  凹部
３１２  鍔部
３１２ａ  外周部
３１２ｂ  内周部
３１４  蓋部
３１６  空間
４１８  胴部本体
４２０  中溝部
４２２  段差部
４２４  第２規制面
ＳＷ１  電源スイッチ
ＳＷ２  停止スイッチ
【図１】
2020163114.tif 000004
【図２】
2020163114.tif 000005
【図３】
2020163114.tif 000006
【図４】
2020163114.tif 000007
【図５】
2020163114.tif 000008
【図６】
2020163114.tif 000009
【図７】
2020163114.tif 000010
【図８】
2020163114.tif 000011
【図９】
2020163114.tif 000012
【図１０】
2020163114.tif 000013
【図１１】
2020163114.tif 000014
【図１２】
2020163114.tif 000015
【図１３】
2020163114.tif 000016
【図１４】
2020163114.tif 000017
【図１５】
2020163114.tif 000018
【図１６】
2020163114.tif 000019
【図１７】
2020163114.tif 000020
【図１８】
2020163114.tif 000021
【図１９】
2020163114.tif 000022
【図２０】
2020163114.tif 000023
【図２１】
2020163114.tif 000024